(57)【特許請求の範囲】
【請求項１】
脊髄神経の健康を手術中に判定する際に用いるデバイスであって、該デバイスは、コンピュータ読み出し可能格納媒体を備え、該コンピュータ読み出し可能格納媒体は、プログラム論理を組み込んでおり、該プログラム論理は、
（ａ）該脊髄神経の近傍に位置した導電性素子に複数の所定の電流レベルを有する電気信号を手術中に印加する工程と、
（ｂ）該複数の所定の電流レベルを有する該印加された電気信号に対する該脊髄神経の応答を手術中に測定する工程と、
（ｃ）該印加された電気信号に対する該脊髄神経の応答を手術中に連続して比較する工程であって、固定した反応時間にわたり、該印加された電気信号の該複数の所定の電流レベルに対する該脊髄神経の応答を手術中にマッピングする工程を含む、工程と、
（ｄ）該印加された電気信号に対する該脊髄神経の連続する応答の比較に基づいて、該脊髄神経の健康を手術中に判定する工程であって、該固定した反応時間にわたる該印加された電気信号の該複数の所定の電流レベルに対する該脊髄神経の応答のマッピングに基づいて、該脊髄神経の健康を手術中に判定する工程を含む、工程と
を制御回路部に実行させる、脊髄神経の健康を判定する際に用いるデバイス。
【請求項２】
各応答は、ＥＭＧである、請求項１に記載の脊髄神経の健康を判定する際に用いるデバイス。
【請求項３】
各応答は、前記脊髄神経に生理学的に結合された筋肉で測定されるＥＭＧである、請求項１に記載の脊髄神経の健康を判定する際に用いるデバイス。
【請求項４】
脊髄神経の健康を手術中に判定する装置であって、
（ａ）該脊髄神経の近傍に位置した導電性素子に複数の所定の電流レベルを有する電気信号を手術中に印加する手段と、
（ｂ）該複数の所定の電流レベルを有する該印加された電気信号に対する該脊髄神経の応答を手術中に測定する手段と、
（ｃ）該印加された電気信号に対する該脊髄神経の連続する応答を手術中に比較する手段であって、固定した反応時間にわたり、該印加された電気信号の該複数の所定の電流レベルに対する該脊髄神経の応答を手術中にマッピングする手段を含む、手段と、
（ｄ）該印加された電気信号に対する該脊髄神経の連続する応答の比較に基づいて、該脊髄神経の健康を手術中に判定する手段であって、該固定した反応時間にわたる該印加された電気信号の該複数の所定の電流レベルに対する該脊髄神経の応答のマッピングに基づいて、該脊髄神経の健康を手術中に判定する手段を含む、手段と
を備える、装置。
【請求項５】
各応答は、ＥＭＧである、請求項４に記載の装置。
【請求項６】
各応答は、前記脊髄神経に生理学的に結合された筋肉で測定されるＥＭＧである、請求項４に記載の装置。
【発明の詳細な説明】
【０００１】  （関連出願の相互参照）
本発明は、通常の特許出願（ｒｅｇｕｌａｒ  ｐａｔｅｎｔ  ａｐｐｌｉｃａｔｉｏｎ）であり、本願の譲受人に譲渡され、本明細書中にて参考として援用される１１／２４／９９に出願されたＵＳ仮特許出願第６０／１６７，４１６号の優先権の利益を主張する。
【０００２】  （本発明の背景）
（本発明の分野）
本発明は、神経モニタリングシステムおよび神経筋肉モニタリングシステムに関し、さらに詳細には、神経の近位度（ｎｅｒｖｅ  ｐｒｏｘｉｍｉｔｙ）および状態の検出方法およびシステムに関する。
【０００３】  （関連技術の説明）
本システムおよび方法は、神経をモニタリングするためにある。１つのこのようなシステムは、針が神経に近づく時を判定する。システムは、筋肉の応答を誘起するために電流を針に印加する。筋肉の応答は、視覚的にモニタリングされる（典型的には、振動または「痙攣」）。このような筋肉の応答がユーザによって観察される場合、針は応答を示す筋肉に結合される針に近いと考えられる。これらのシステムは、ユーザが筋肉の応答を観察することを要求する（これにより、針が神経に近づいていることを判定する）。これは、ユーザの競争的なタスクに依存しているので困難であり得る。さらに、通常の麻酔が手術の間に用いられる場合、筋肉の応答が抑制され、その応答を検出するユーザの能力を限定する。
【０００４】  したがって、針、カテーテル、または他の機器を１つの神経または神経群に対する近位度を判定するより良いシステムおよび方法の必要性が存在する。
【０００５】  （本発明の要旨）
本発明は、神経の状態を判定する方法およびシステムを含み、詳細には、神経の運動単位（ここで、神経は、縮小する筋肉繊維のセットに接続される）を含む。本発明はまた、導電機器に対する神経の近位度を判定する方法およびシステムを含む。神経の状態を判定するために、本発明は、電気信号を導電機器または素子に印加する。導電性素子は、神経の近傍に配置される。電気信号は、時間が経てば印加される多数の電流レベルを含む。電流レベルそれぞれは、導電機器に印加され、次いで、神経に印加される。それぞれの電流レベルに対する神経の応答は、筋電図（「ＥＭＧ」）によって検出され得る。ＥＭＧにおいて、神経の応答は、神経に生理学的に結合される筋肉にて測定され得る（運動単位）。好適な局面において、本発明は、印加された電流レベルに対する神経の応答が測定され、この神経の応答に基づいて神経の状態を判定する。
【０００６】  この応答に基づいて神経の状態を判定するために、本発明は、それぞれの電流レベルに対する神経の応答をマッピングし得る。マッピングは、固定された期間またはこの応答の反応時間に基づかれる。本発明は、神経の状態を判定するために、電流レベルに対する神経の応答のマッピングを用いる。この情報は、神経の健全さを判定し、手術または他の医療処置の時間等の実時間に集められ得る。このような場合、導電性素子は、カテーテル、針、カニューレまたは別の医療器具に結合され得る。応答をマッピングするために用いた反応時間の期間は、各応答のピーク関数として判定され得る。各応答の最大の大きさのピークが判定され、次いで、応答において同時に位置される最大数のピークを有する反応時間の期間は固定した反応時間の期間として選択され、応答をマッピングするように用いられる。それぞれの応答の最大の大きさのピークに対するピークレベル対電流レベルの比の合計がさらに、判定され得る。次いで、ピークレベル対電流レベルの比の最大の合計を有する反応時間は、固定した反応時間として選択される。
【０００７】  近位電極等の導電性素子への神経の近位度を判定するために、本発明は、第１の電気信号を較正電極に付与する。較正電極は、神経近傍に位置するかまたは配置される導電性素子を含む。次いで、本発明は、第２の電気信号を近位電極に付与する。第１および第２の電気信号は、異なる時間間隔で印加される多数の電流レベルを含む。電流レベルの各々は、近位電極、較正電極、かつ、従って神経に印加される。それぞれの電極からのそれぞれの電流レベルに対する神経の応答が測定される。例えば、それぞれの刺激に対する神経の応答は、筋電図（「ＥＭＧ」）によって検出され得る。ＥＭＧにおいて、神経の応答は、神経に生理学的に結合される筋肉にて測定され得る。本発明は、第１の信号および第２の信号に対する神経の応答を比較することによって近位電極に対する相対的な近位度を判定する。必要に応じて、本発明はまた、傾き（第１の信号および第２の信号に対する神経の応答に関する電圧／電流にする変化（ｄＶ／ｄＩ））を比較し得る。
【０００８】  本発明はまた、第１の信号のそれぞれの電流レベルの応答をマッピングし得、第２の信号のそれぞれの電流レベルの応答をマッピングし得る。次いで、近位電極に対する神経の相対的な近位度は、それぞれのマッピングを比較することによって判定され得る。それぞれの信号のマッピングは、固定した時間の期間または応答の反応時間での応答のレベルに基づく。判定された近位度は、手術または他の医療処置の時間等の実時間での手順を誘導するために用いられ得る。このような場合において、近位電極は、カテーテル、針、カニューレまたは別の医療器具に結合され得る。それぞれの信号の応答をマッピングするために用いられる固定した反応時間は、それぞれの応答のピークの関数として判定され得る。それぞれの応答における最大の大きさのピークは、判定され得、次いで、それぞれの応答で同時に位置される最大数で最大の大きさのピークを有する反応時間は固定した反応時間として選択される。それぞれの応答の最大の大きさのピークに対するピークレベル対電流レベルの比の合計がさらに判定され得る。これに応じて、ピークレベル対電流レベルの比の最大の合計を有する反応時間が、固定した反応時間として選択される。
【０００９】  種々の図面における同様の参照符号および表記は、同様の構成要素を示す。
【００１０】  （特定の実施形態の説明）
この説明全体にわたって、示された好適な実施形態および実施例は、本発明に関して限定するものではなく例示としてみなされるべきである。
【００１１】  図１は、本発明による神経の状態および近位度システム１０の図である。システム１０は、出力機器１２、ユーザ入力機器１６、プロセッサ２０、近位電極２１、較正電極２２、および筋電図（ｅｌｅｃｔｒｏｍｙｏｇｒａｍ：ＥＭＧ）の電極２４を含む。プロセッサ２０は、中央処理ユニット（「ＣＰＵ」）１４、デジタルアナログ変換器（「Ｄ／Ａ」）およびアナログデジタル変換器「（Ａ／Ｄ）」１８を含む。ＣＰＵ１４は、Ｄ／Ａ＆Ａ／Ｄ１８および出力機器１２の動作を制御するのに十分な処理出力を有する任意のマイクロプロセッサであり得る。Ｄ／Ａ＆Ａ／Ｄ１８は、本明細書中で説明されるような信号および十分なサンプリングレートを生成するのに十分な動作サイクル有するような任意の機器である。較正電極２２は、モニタリングされるべき患者の神経付近に配置するのに適する電極である。ＥＭＧ電極２４は、ＥＭＧ応答の検出を可能にする電極であり、この電極は、モニタリングされるべき神経に生理学的に接続された筋肉に挿入されるかまたは筋肉の上にある皮膚上に配置され得る。近位電極２１は、カニューレ、針、カテーテル、ＲＦ切除機器、レーザ、または他の医療器具を含む任意の医療器具に接続され得る電極である。近位電極２１は、単一電極（単極）、２つの電極（双極）、または複数の電極（多極）構成を含み得る。
【００１２】  ＣＰＵ１４は、Ｄ／Ａ＆Ａ／Ｄ１８およびユーザ入力機器１６を介して受信されたユーザ選択（神経近位度または状態検出等）に基づく出力機器１２の動作を制御する。ユーザ入力機器１６は、キーボード、マウス、タッチ感応性スクリーンを含む任意の機器であり得る。出力機器１２は、ＣＰＵ１４によって制御可能な任意の出力機器（例えば、コンピュータモニタ、プリンタ、または他のコンピュータで制御されたディスプレイ機器）であり得る。システム１０は、電極２１および２２に転送される電気信号を生成する。システム相互作用は、図２〜５を参照して説明される。またシステム１０は、ＥＭＧ電極２４からの信号を受信する。当業者は、ＥＭＧ電極とこのような電極から受信された信号のタイプおよび信号のフォーマットとを熟知している。概して、システム１０は、Ｄ／Ａ１８を介して電極２１および２２における電気信号を生成する。特に、ＣＰＵは、電極２１および２２によって転送されるべき信号のデジタル表示を生成する。Ｄ／Ａは、電極２１および２２によって送信されるデジタル信号をアナログ信号に変換する。送信された信号は、電極２１および２２付近に配置された関心のある１つ以上の神経を消極するために使用される。
【００１３】  ＥＭＧ電極２４は、ＥＭＧ電極２４および消極された神経（運動単位）に電気的に接続された筋肉によって生成されたＥＭＧあるいは誘発筋肉動作ポテンシャル（「ＥＭＡＰ」）信号を受信する。本発明では、神経は電極２１または２２によって送信された電気信号によって消極される。Ａ／Ｄ１８は、ＥＭＧ電極２４によって受信されたアナログ信号をＣＰＵ１４によって処理され得るデジタル信号に変換する。またシステム１０が使用されて、神経および神経の状態に対する近位電極２１の近位度を判定し得る。
【００１４】  図２は、神経の状態を判定するための例示的な方法３０の工程を示す。システム１０または任意の他の可能なシステムは、これらの工程を実行し得る。第１に、工程３２では、電極（電極２１または２２等）は、神経付近に配置される。理想的には、神経は電極の位置に対して移動しない。しかし、神経が移動しても、この工程は移動が停止した後、任意の所与の時間で繰り返され得る。神経の状態は、外科処置または他の医療処置の間モニタリングされ得る。その結果、状態電極は、この処置の間移動する可能性の低い神経の切開面付近に配置される。例えば、腰椎手術の間、脊柱から延び、脚の筋肉に物理学的に結合された神経の状態がモニタリングされ得る。この状態電極（電極２１または２２等）は、脊柱および外科位置上部付近の神経の正中線に配置され得る。本方法は、他の「較正」刺激部位（例えば、錐体外路（ｅｘｔｒａｆｏｒａｍｉｎａｌ）であっても作用するが、望ましくない傍脊椎筋肉収縮を有し得ることに留意されたい。
【００１５】  状態電極（工程３４における）は、時間と共に階段状に関数が増加する制御された電流を有する電気信号を用いて刺激される。電圧および初期電流レベルは、増大する刺激振幅のカスケードの開始において神経を消極するのに十分である。システム１０が使用されて、Ｄ／Ａ変換器１８を介して電気信号を生成し得る。各工程（時間）の間、電流レベルの増加および各工程の長さは、神経の応答時間および神経の消極閾値によって決定される。典型的な刺激値は０〜１００ｍＡであり、０．１ｍＡ〜２０ｍＡの増分を有し、その後１ｍＡの増分を有する。電圧は可変であり、組織−電極−接点−リード線インピーダンスに依存し、電圧は０．１Ｖ〜１００Ｖ（１ｋΩの平均組織インピーダンスに対して）である。
【００１６】  神経の応答（工程３６）は、状態電極に印加された電流レベルごとに判定される。例示的な実施形態において、（電極２４のような）ＥＭＧ電極は、電気的に筋肉に結合されており、生理学的には神経に結合されており、応答を測定する。応答はＥＭＡＰである。図６Ａ、７Ａ、８Ａおよび９ＡはＥＭＡＰを示す。図６Ａは、神経の近傍に配置され、かつ、神経までの距離が比較的一定である位置における、電極のＥＭＧ応答を表す。各図において、複数のＥＭＡＰまたはＥＭＧ応答が示される。ＥＭＧ応答はそれぞれ同様の特性（すなわち、交点、時間軸上のピーク点および反応時間）を有している。しかしながら、信号の大きさ（または包絡線）は、電極に印加される電流に応じて変化する。神経を減極させない電流レベルでは、測定可能なＥＭＧ応答が得られない。電流レベルが増加するにつれて、ＥＭＧ応答は、繰り返し可能なパターンを形成する。この場合、ピークの大きさのみが平均して変化する。１つ以上の応答が、他の応答と一致しないアーチファクトを生成する場合がある。理想的には、これらのアーチファクトは破棄される。電流レベルが増加するにつれて、ＥＭＧ応答のピークの大きさは、神経の飽和点に達するまで増加し続ける。電極（したがって、神経）に印加される信号の電流レベルが増加しても、この点ではＥＭＧ応答のピークの大きさは増加しない。状態電極に印加される信号の電流レベルは、理想的には、神経の飽和点で、または、飽和点までに停止する。
【００１７】  ＥＭＧ応答対印加電流のマッピング（工程３８）は、ＥＭＧ応答の時間軸上の選択された点または固定の反応時間について集められる。図６Ｂ、７Ｂ、８Ｂおよび９Ｂは、ＥＭＧ応答対印加電流のマッピング応答を示す。図６Ｂは、神経の近傍に配置され、かつ、神経までの距離が比較的一定である位置における電極の、ＥＭＧ応答対印加電流を表す。図６Ａから理解され得るように、印加電流レベルに対するＥＭＧ応答のマッピングは、理想的には、測定可能な可変性を有するＥＭＧ応答の時間点または反応時間にて判定される。図４および５は、印加電流レベルに対するＥＭＧ応答をマッピングするために用いられる反応時間または時間点を選択し、ＥＭＧ応答対印加電流レベルを生成する２つの異なる例示的な方法を示す。
【００１８】  図４に示される方法８０は、まず、工程８２において、ＥＭＧ応答またはＥＭＡＰ各応答におけるピークを判定する。詳細には、この方法は、各応答において最大の大きさを有する反応時間または時間点を判定する。その後、この方法は、工程８４において、判定されたピーク反応時間ごとに、ほぼ同じ大きさの反応時間を有する他の応答がいくつあるかを判定する。工程８６において、もっとも大きなピークの数がもっとも多い反応時間が、固定した反応時間または固定した時間期間として選択される。次いで、工程８８において、固定した反応時間または固定した時間期間を用いて、ＥＭＧ応答対印加電流レベルマッピングが生成される。
【００１９】  方法９０において、ＥＭＧ応答対印加電流レベルマッピングはまた、選択された時間期間または反応時間について生成される。反応時間は、同様にして判定される。方法９０は、工程９２において、ＥＭＧ応答またはＥＭＡＰ応答それぞれにおけるピークの最大の大きさを判定する。その後、この方法は、工程９４において、ＥＭＧ曲線に対してピーク対シミュレーション電流（すなわち重み付けされたピーク）の比を判定する。次いで、この方法は、工程９６において、すべての応答についてほぼ同じピーク反応時間を有する重み付けされたピークの和を判定する。工程９７において、重み付けされたピークの最大和を有する反応時間が、固定した反応時間または固定した時間期間として選択される。次いで、工程９８において、固定した反応時間または固定した時間期間を用いて、ＥＭＧ応答対印加電流レベルマッピングが生成される。
【００２０】  印加電流レベルに対してＥＭＧ応答をマッピングする際に、方法３０は、工程４２において、マッピングに基づいて神経の状態を判定する。例示的な実施形態において、この方法は、マッピングの傾きを判定する。傾き（ｄＶ／ｄＩ）が無限へと発散する（ｙ軸（μＶ単位）と平行になる）場合、神経の状態は健康であるとみなされる。さもなくば、傾きが減少して、最終的にはゼロまたはｘ軸（ｍＡ単位）に達する場合には、神経の状態は不健康であるとみなされる。このことは、神経の近傍にある刺激電極にのみ当てはまる。別の実施形態では、マッピングは、健康な神経と不健康な神経とに関するマッピングと比較され得る。マッピングをそれぞれ相関させて比較が行われ得る。神経の状態の判定結果は、出力機器１２上に表示され得る。さらに、判定は、処置がうまく行くように、医療処置時に定期的に行われ得る。
【００２１】  本発明はまた、（近位電極２１のような）導電性素子に対する神経の近位度を判定する方法を含む。図３は、導電性素子に対する神経の近位度を判定する例示的な方法を示す。この方法では、較正ＥＭＧ応答対印加電流レベルのマッピングが、神経から既知の距離に位置する較正電極について判定される。次いで、ＥＭＧ応答対印加電流レベルのマッピングは、近位電極について判定される。２つのマッピングの間の差に基づいて、近位電極に対する神経の相対的な近位度が判定される。詳細には、較正電極は、神経の近傍の位置に配置される。この場合、神経から較正電極までの距離は、既知であり、理想的には固定である（工程５２）。一実施形態において、較正電極は、脊柱の硬膜上の硬膜外空間に配置される。較正電極は、対象とする神経の近傍にある棘突起（ｓｐｉｎｏｕｓ  ｐｒｏｃｅｓｓ）と脊柱までの正中線との間に配置される。一実施形態形態では、近位度は、２つのマッピング電流の変化（ΔｍＡ）と、これらの相対的な傾きの比較から求められる。較正曲線と比較されるたった１つの測定結果から近位度を求めることもできるが、複数の結果を用いた方が安全性の確率は増す。
【００２２】  工程５４、５６および５８において、ＥＭＧ応答対印加電流レベルのマッピングが判定される。図６Ｂは、神経に実質的に隣接して配置された較正電極のマッピングを表す。この曲線も図１０に示される。この曲線の開始点は約０ｍＡ（ミリアンペア）である。次いで、工程６２において所望の位置に近位電極を配置した後、工程６４、６６および６８において、近位電極について、ＥＭＧ応答対印加電流レベルのマッピングが判定される。その後、（較正電極および近位電極に関する）２つのマッピングが比較される。例示的な実施形態において、２つのマッピング間の電流のオフセット（ｍＡ）が比較され、これを用いて神経に対する近位電極の相対的近位度を判定する。例えば、図７Ｂは、神経のすぐ隣の近位電極のマッピングを示す（図７Ａは、電流レベルごとのＥＭＡＰ応答である）。図８Ｂは、神経から約１０ｍｍ離れて位置する近位電極のマッピングを示す（図８Ａは、電流レベルごとのＥＭＡＰ応答である）。図９Ｂは、神経から約２０ｍｍ離れて位置する近位電極のマッピングを示す（図９Ａは、電流レベルごとのＥＭＡＰ応答である）。
【００２３】  図１０は、神経から０ｍｍ、較正位置、５ｍｍ、１０ｍｍ、１５ｍｍ、２０ｍｍ、２５ｍｍおよび３０ｍｍに位置する電極に関するマッピングを同じチャート上に示す。この図から理解され得るように、近位電極が神経から離れる方向に移動するにつれて、マッピングの傾きは減少し、マッピングの電流（ｍＡ）はさらにオフセットされる。したがって、工程７２において、この方法は、較正マッピングおよび近位マッピングを用いて神経からの距離を判定し得る。マッピングは、神経が減極され、正確な範囲または近位情報をなおも提供する１つ以上の点のみを有し得ることに留意されたい。
【００２４】  本発明は、この発明者の目的を達成する最良の形態で説明されてきたが、当業者であれば、本発明の意図または範囲から逸脱することなく、これらの教示内容を鑑みて、変更を為し得ることを理解されたい。例えば、本発明は、コンピュータプログラミングソフトウェア、ファームウェアまたはハードウェアの任意の組み合わせを用いて、実行され得る。本発明を実行する、または、本発明による装置を構成する予備工程として、本発明によるコンピュータプログラミングコード（ソフトウェアまたはファームウェア）が、典型的には、１つ以上の機械読取り可能格納媒体に格納される。このような格納媒体は、固定（ハード）ドライブ、ディスケット、光ディスク、磁気テープ、ＲＯＭ、ＰＲＯＭ等の半導体メモリなどである。このことにより、本発明による製造品が作製される。コンピュータプログラミングコードを含む製造品は、格納機器から直接コードを実行することによって、格納機器から別の格納機器（ハードディスク、ＲＡＭ等）にコードをコピーすることによって、または、遠隔実行用のネットワーク上のコードを伝送することによって用いられる。
【００２５】  当業者であれば、多くの異なる上記の組み合わせを用い得ることを企図し得る。したがって、本発明は上掲の特許請求の範囲に制限されない。
【図面の簡単な説明】
【図１】  図１は、本発明による神経近位度／健康検出システムのブロック図である。
【図２】  図２は、本発明による神経の状態を決定する例示的な方法のフローチャートである。
【図３】  図３は、本発明による神経近位度を決定する例示的な方法のフローチャートである。
【図４】  図４は、本発明によるＥＭＧ応答対電流曲線を生成する第１の例示的な方法のフローチャートである。
【図５】  図５は、本発明によるＥＭＧ応答対電流曲線を生成する第２の例示的な方法のフローチャートである。
【図６Ａ】  図６Ａは、ＥＭＧを生成する神経に関する較正位置において配置された電極において異なる刺激電流についての複数のＥＭＧを示す図である。
【図６Ｂ】  図６Ｂは、図６Ａに示される図から生成された選択された固定した反応時間についての刺激電流対ＥＭＧ応答を示す図である。
【図７Ａ】  図７Ａは、ＥＭＧを生成する神経に直接隣接して配置された電極における異なる刺激電流のついての複数のＥＭＧを示す図である。
【図７Ｂ】  図７Ｂは、図７Ａに示される図から生成された選択された固定した反応時間についての刺激電流対ＥＭＧ応答を示す図である。
【図８Ａ】  図８Ａは、ＥＭＧを生成する神経から約１０ｍｍ間隔を開けて配置された電極における異なる刺激電流についての複数のＥＭＧを示す図である。
【図８Ｂ】  図８Ｂは、図８Ａに示される図から生成された選択された固定した反応時間についての刺激電流対ＥＭＧ応答を示す図である。
【図９Ａ】  図９Ａは、ＥＭＧを生成する神経から約２０ｍｍ間隔を開けて配置された電極における異なる刺激電流についての複数のＥＭＧを示す図である。
【図９Ｂ】  図９Ｂは、図９Ａに示される図から生成された選択された固定した反応時間についての刺激電流対ＥＭＧ応答を示す図である。
【図１０】  図１０は、ＥＭＧ応答を生成する神経からの様々な距離で配置された電極における選択された固定した反応時間についての刺激電流レベル対複数のＥＭＧ応答を示す図である。
【図１】
0005405706.tif 000002
【図２】
0005405706.tif 000003
【図３】
0005405706.tif 000004
【図４】
0005405706.tif 000005
【図５】
0005405706.tif 000006
【図６Ａ】
0005405706.tif 000007
【図６Ｂ】
0005405706.tif 000008
【図７Ａ】
0005405706.tif 000009
【図７Ｂ】
0005405706.tif 000010
【図８Ａ】
0005405706.tif 000011
【図８Ｂ】
0005405706.tif 000012
【図９Ａ】
0005405706.tif 000013
【図９Ｂ】
0005405706.tif 000014
【図１０】
0005405706.tif 000015